(57)【要約】【課題】エッジトリム処理をしたプリント上で元画像領域を明確に把握できるようにする。【解決手段】画像信号に基いてそれが表わす画像を用紙上に形成するプリンタ１００；画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段１３１，４３，４２，３７；及び、前記エッジトリム領域より内側にエッジトリム領域との区分線を表わす画像信号を、前記プリンタに与える画像信号に合成する手段４３；を備える。前記区分線は、トリム境界線および又は元画像領域を表わす画像枠線。倍率調整は、主，副走査方向で別個、又は、同一倍率で、一方を選択可。トリム境界線および画像枠線のそれぞれの加入／非加入も選択可。該倍率調整をするかしないかも選択可。【選択図】  図７
2004216695.tif 000002
【特許請求の範囲】
【請求項１】
画像信号に基いてそれが表わす画像を用紙上に形成するプリンタ；
画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段；及び、
前記エッジトリム領域より内側にエッジトリム領域との区分線を表わす画像信号を、前記プリンタに与える画像信号に合成する手段；
を備える画像形成装置。
【請求項２】
前記合成手段は、区分線加入指定がある場合に前記区分線を表わす画像信号を、前記プリンタに与える画像信号に合成し、区分線加入指定が無い場合には前記合成をしない；請求項１に記載の画像形成装置。
【請求項３】
前記区分線は、前記エッジトリム領域の境界の内側のトリム境界線を含む；請求項１又は請求項２に記載の画像形成装置。
【請求項４】
前記変倍手段は、画像の主走査方向および副走査方向の各方向について前記プリンタが形成する全体画像を前記プリント用紙サイズのエッジトリム領域の内側となるサイズに調整する主走査方向および副走査方向の倍率の、小さい方の倍率で前記プリンタが形成する全体画像を前記プリント用紙サイズのエッジトリム領域の内側となるサイズに調整して該内側に配置する；請求項１乃至３のいずれかに記載の画像形成装置。
【請求項５】
前記区分線は、前記小さい方の倍率で調整した画像の領域エッジを表す領域端線を含む；請求項４に記載の画像形成装置。
【請求項６】
請求項１乃至５のいずれかに記載の画像形成装置；及び、原稿画像を読み取って画像信号を生成して前記変倍手段に与える原稿スキャナ；を備える複写装置。
【発明の詳細な説明】
【０００１】
【発明の属する技術分野】
本発明は、印刷用紙の端縁部の画像形成を無効化するトリミング領域を設定し、トリミング領域の内側のみに画像を形成することが出来る画像形成装置に関し、特に、これに限定する意図ではないが、主走査画素クロック周期とポリゴンミラーの回転速度を変更することで形成画像の解像度と微小な倍率調整を行うことが出来るレーザプリンタに関する。この種の画像形成装置は、プリンタ，複写機およびファクシミリに用いることが出来る。
【０００２】
【従来技術】
この種の画像形成装置では、印刷用紙上に印刷される画像が用紙と同サイズの場合、用紙を給紙搬送する過程で発生するスキュー，ずれにより、用紙に対する画像の印刷位置が微小にずれてしまい、このずれにより用紙から画像がはみ出してしまう。また、理論上の用紙サイズと実際の用紙サイズが用紙品質等により微小に異なる場合があり、理論上の用紙サイズで画像を印刷すると用紙から画像がはみ出してしまう。これら、用紙外に画像が印刷されると印刷品質の低下及び機内の汚れの原因となる。
【０００３】
【特許文献１】特開２００１−１９２０２号公報は、大版のキャリアシートに印刷用紙をセットしてプリンタに挿入することで、印刷用紙の全面に画像形成することを提示している。しかし、特別なキャリアシートが必要である。
【０００４】
そこで一般的には、用紙外への画像印刷の防止策として用紙基準で印刷画像の４辺にトリム領域を設けて、トリム領域の内側のみの画像形成を行っている。しかし、印刷画像の４辺にトリム領域を設けることで画像が欠けてしまう。例えば、図１０の（ａ）に示す画像領域がＡ４版サイズであるとすると、これを図１０の（ｂ）に示すＡ４版サイズの印刷用紙に、トリム領域（トリムエッジ）を設定してプリントアウトすると、図１０の（ｃ）に示す画像全面のプリントを得ることを期待しても、実際には図１０の（ｄ）に示すように、辺部の画像が欠けてしまう。
【０００５】
そこで、用紙より少し小さめに画像を縮小して印刷するという技術が知られている。例えば、画像面の原点（左上）をトリムエッジのコーナにあわせて、図１０の（ｅ）に示すように主走査方向（図上で左右方向）および副走査方向（図上で前後方向）で異なった倍率で縮小して、あるいは図１０の（ｆ）に示すように同一倍率で縮小して、画像の全体（図１０の（ａ））をトリム領域（トリムエッジ）の内側に配置する。
【０００６】
【特許文献２】特開平５−３２８０９１号公報は、写真フィルムの画像を変倍してハードコピーする場合に、コピー上に空白部分を生じないように、写真フィルムの画像の切り取り領域の縦横比を、コピー用紙のトリムエッジの縦横比と等しく設定することができる、変倍画像編集装置を提示している。
【０００７】
【特許文献３】特開２０００−１０６６２３号公報は、写真フィルムの画像をオペレータがディスプレイ上で切り取る場合に、トリミング可能領域と不可領域の境界を枠によってディスプレイ上に表示する画像処理装置を提示している。
【０００８】
【特許文献４】特開平１０−３１９５１５号公報は、ユーザーの要請に応じて、画像形成倍率を１％未満の微調整幅で調整する倍率設定装置を提案している。
【０００９】
【特許文献５】特開平８−２５８３２９号公報は、画像形成装置において主走査倍率補正を、レーザ走査を行うポリゴンミラーモータを駆動するＰＬＬ回路を用いて行うことを開示している。
【００１０】
【発明が解決しようとする課題】
ところで、印刷画像の４辺に自動的にトリム領域を設けて、トリムエッジの内側に元画像の全体を自動的に縮小して配置したプリントでは、画像外縁の余白が元画像上の空白であるのか、トリム領域の空白であるのか、プリント上では判読が難しい場合がある。その場合には例えば、元画像と同様に紙面全体のプリントを得ようと倍率を高く調整しても、プリント上の余白がトリム領域のものであるので、同じ結果しか得られない。
【００１１】
また、元画像とプリントアウト画像との相似性を維持するために、図１０の（ｆ）に示すように、主走査方向および副走査方向の両方向ともに画像がトリムエッジの内側となり、かつ一方の方向で画像領域がトリムエッジに内接する同一倍率で主走査方向および副走査方向に画像を縮小する場合には、他方の方向で画像領域とトリムエッジとの間に空白（余白）を生ずる。この空白を無くすように倍率を高く調整しても、同じ結果しか得られない。
【００１２】
本発明は、エッジトリム処理をしたプリント上で元画像領域を明確に把握できるようにすることを目的とする。
【００１３】
【課題を解決するための手段】
（１）  画像信号に基いてそれが表わす画像を用紙上に形成するプリンタ（１００）；
画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段（１３１，４３，４２，３７）；及び、
前記エッジトリム領域より内側にエッジトリム領域との区分線（トリム境界線／画像枠線）を表わす画像信号を、前記プリンタに与える画像信号に合成する手段（４３）；
を備える画像形成装置（１００）。
【００１４】
なお、理解を容易にするためにカッコ内には、図面に示す実施例の対応要素の記号もしくは対応事項を、例示として参考までに付記した。以下も同様である。
【００１５】
これによれば、プリント上に、例えば図１０の（ｇ），（ｈ）又は（ｉ）に示すように、元画像領域とトリムエッジとの区分線（トリム境界線／画像枠線）が現れるので、プリント上において元画像領域を明確に認識できる。
【００１６】
【発明の実施の形態】
（２）  前記合成手段（１３１，４３，４２，３７）は、区分線加入指定がある場合に前記区分線（トリム境界線／画像枠線）を表わす画像信号を、前記プリンタに与える画像信号に合成し、区分線加入指定が無い場合には前記合成をしない；上記（１）に記載の画像形成装置（１００）。これによれば、区分線を希望する場合のみ、例えば図１０の（ｇ），（ｈ）又は（ｉ）に示すように、区分線加入指定によって区分線（トリム境界線／画像枠線）があるプリントを得ることが出来る。区分線加入指定がないと、例えば図１０の（ｅ）又は（ｆ）に示すように、区分線がないプリントを得ることが出来る。
【００１７】
（３）  前記区分線は、前記エッジトリム領域の境界の内側のトリム境界線を含む；上記（１）又は（２）に記載の画像形成装置（１００）。これによれば、例えば図１０の（ｇ）又は（ｈ）に示すように、トリム境界線の内側が元画像領域であることを明確に認識できる。
【００１８】
（４）  前記変倍手段（１３１，４３，４２，３７）は、画像の主走査方向および副走査方向の各方向について前記プリンタが形成する全体画像を前記プリント用紙サイズのエッジトリム領域の内側となるサイズに調整する主走査方向および副走査方向の倍率の、小さい方の倍率で前記プリンタが形成する全体画像を前記プリント用紙サイズのエッジトリム領域の内側となるサイズに調整して該内側に配置する；上記（１）乃至（３）のいずれかに記載の画像形成装置（１００）。これによれば、例えば図１０の（ｆ），（ｈ）又は（ｉ）に示すように、プリント画像が元画像と相似のプリントが得られ、画像形状の信頼性が高い。プリント上において元画像の領域および形状を正確に認識できる。
【００１９】
（５）  前記区分線は、前記小さい方の倍率で調整した画像の領域エッジを表す領域端線（画像枠線）を含む；上記（４）に記載の画像形成装置（１００）。
【００２０】
例えば図１０の（ｉ）に示すように、主走査方向および副走査方向の両方向ともに画像がトリムエッジの内側となり、かつ一方の方向で画像領域がトリムエッジに内接するプリントが得られる。このプリント上では、他方の方向で画像領域とトリムエッジとの間に空白（余白）を生ずるが、図１０の（ｉ）に示すように領域端線（画像枠線）が印刷されるので、該空白が元画像領域のものでないことを明確に把握できる。
【００２１】
（５ａ）  前記変倍手段（１３１，４３，４２，３７）は、画像の主走査方向および副走査方向の各方向について前記プリンタが形成する全体画像を前記プリント用紙サイズのエッジトリム領域の内側となるサイズに調整する主走査方向および副走査方向の各倍率で、前記プリンタが形成する全体画像を前記プリント用紙サイズのエッジトリム領域の内側となるサイズに調整して該内側に配置する；上記（１）乃至（３）のいずれかに記載の画像形成装置（１００）。これによれば、図１０の（ｅ）又は（ｇ）に示すように、トリム境界線の内側に空白の無い、整った画像配置のプリントが得られる。
【００２２】
（５ｂ）  画像信号に基いてそれが表わす画像を用紙上に形成するプリンタ（１００）；
前記プリンタが形成する全体画像をプリント用紙サイズのエッジトリム領域の内側となるサイズに倍率調整する調整モードを選択するためのモード指定手段（７９の８１）；
トリム境界線の線入れを選択するための線入れ指定手段（７９の８２）；
前記調整モードが選択されているときに、画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段（１３１，４３，４２，３７）；及び、
前記線入れが選択されているときに、前記エッジトリム領域の境界の内側にトリム境界線を表わす画像信号を、前記プリンタに与える画像信号に合成する手段（４３）；
を備える画像形成装置（２０，６３０，１００；図６，図７）。
【００２３】
（５ｃ）  画像信号に基いてそれが表わす画像を用紙上に形成するプリンタ（１００）；
前記プリンタが形成する全体画像をプリント用紙サイズのエッジトリム領域の内側となるサイズに倍率調整する調整モードを選択するためのモード指定手段（７９の８１）；
画像領域エッジの線入れを選択するための線入れ指定手段（７９の８４）；
前記調整モードが選択されているときに、画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段（１３１，４３，４２，３７）；及び、
前記線入れが選択されているときに、画像の領域エッジを表す領域端線（画像枠）を表わす画像信号を、前記プリンタに与える画像信号に合成する手段（４３）；を備える画像形成装置（２０，６３０，１００；図８，図９）。
【００２４】
（５ｄ）  画像信号に基いてそれが表わす画像を用紙上に形成するプリンタ（１００）；
前記プリンタが形成する全体画像をプリント用紙サイズのエッジトリム領域の内側となるサイズに倍率調整する調整モードを選択するためのモード指定手段（７９の８１）；
画像領域エッジの線入れを選択するための線入れ指定手段（７９の８４）；
前記調整モードが選択されているときに、画像信号が表す画像の全体サイズ，プリント用紙サイズおよびエッジトリム量に基いて、画像の主走査方向および副走査方向の各方向について前記プリンタが形成する全体画像を前記プリント用紙サイズのエッジトリム領域の内側となるサイズに調整する主走査方向および副走査方向の倍率の、小さい方の倍率で前記プリンタが形成する全体画像を前記プリント用紙サイズのエッジトリム領域の内側となるサイズに調整して該内側に配置する変倍手段（１３１，４３，４２，３７）；及び、
前記線入れが選択されているときに、画像の領域エッジを表す領域端線（画像枠）を表わす画像信号を、前記プリンタに与える画像信号に合成する手段（４３）；を備える画像形成装置（２０，６３０，１００；図８，図９）。
【００２５】
（５ｅ）  画像信号に基いてそれが表わす画像を用紙上に形成するプリンタ（１００）；
前記プリンタが形成する全体画像をプリント用紙サイズのエッジトリム領域の内側となるサイズに倍率調整する調整モードを選択するためのモード指定手段（７９の８１）；
トリム境界線の線入れを選択するための線入れ指定手段（７９の８２）；
画像領域エッジの線入れを選択するための線入れ指定手段（７９の８４）；
前記調整モードが選択されているときに、画像信号が表す画像の全体サイズ，プリント用紙サイズおよびエッジトリム量に基いて、前記プリンタが形成する全体画像を前記プリント用紙サイズのエッジトリム領域の内側となるサイズに倍率調整して該内側に配置する変倍手段（１３１，４３，４２，３７）；及び、
前記トリム境界線の線入れが選択されているときに、前記エッジトリム領域の境界の内側にトリム境界線を表わす画像信号を、前記プリンタに与える画像信号に合成し、前記画像領域エッジの線入れが選択されているときに、画像の領域エッジを表す領域端線（画像枠）を表わす画像信号を、前記プリンタに与える画像信号に合成する手段（４３）；
を備える画像形成装置（２０，６３０，１００；図８，図９）。
【００２６】
（５ｆ）  更に、画像の主走査方向と副走査方向の変倍調整を個別にすることを選択するための独立変倍指定手段（７９の８３）を備え；前記変倍手段（１３１，４３，４２，３７）は、該個別の変倍調整が選択されているときには、画像の主走査方向および副走査方向の各方向について前記プリンタが形成する全体画像を前記プリント用紙サイズのエッジトリム領域の内側となるサイズに調整する主走査方向および副走査方向の倍率の、小さい方の倍率で前記プリンタが形成する全体画像を前記プリント用紙サイズのエッジトリム領域の内側となるサイズに調整して該内側に配置する；上記（ｅ）に記載の画像形成装置（２０，６３０，１００；図８，図９）。
【００２７】
（６）  上記（１）乃至（５ｆ）のいずれかに記載の画像形成装置（２０，６３０，１００）；及び、原稿画像を読みとって画像信号を生成して前記変倍手段に与える原稿スキャナ（１０）；を備える複写装置（１０，２０，６３０，１００）。これによれば、原稿スキャナ（１０）が読みとった原稿の全面を、トリムエッジの内側に縮小配置したコピーを得ることができる。このコピーに関して、上記（１）〜（５ａ）に記述した効果が得られる。
【００２８】
（７）  コピー，ファクシミリ，プリンタ等の印刷機能を備え、主走査方向と副走査方向の各解像度を設定でき、主走査方向と副走査方向の各倍率の調整ができ、複数の解像度に応じた印刷が可能な画像形成装置において、
画像信号を用紙に印刷した時に発生する原画像と印刷画像の倍率誤差を補正する主走査及び副走査の基本倍率調整設定手段を備え、印刷時の用紙搬送のスキューや、ずれにより用紙外に画像が印刷されることを抑制するために画像のふちを用紙基準でトリムする機能とトリム領域を調整できる機能を備え、前記、トリム領域は画像の倍率調整をしても一定であることと、前記、基本倍率調整設定値と用紙サイズと印刷画像サイズとトリム領域から、前記トリム領域により印刷画像が欠けることなく全面印刷するために印刷画像の主走査及び副走査の倍率を自動的に調整して印刷する機能を有し、前記トリム領域と印刷画像の境界線を、前記トリム領域より内側で全面印刷する画像信号と重ねて合わせて印刷することを特徴とする画像形成装置。
【００２９】
これによれば、用紙基準のトリム領域から内側に全面印刷するように印刷画像の倍率を調整し画像欠けの抑制を行う場合に、トリム領域と画像の境界線を引くことで使用者がトリム領域より内側で全面印刷されていことの視認性が良くなる効果がある。
【００３０】
（８）  上記（７）に記載の画像形成装置において、トリム領域による画像欠けが発生しないよに倍率調整を行い印刷する場合に、境界線入れ指定がある場合に上記（１）のトリム領域と印刷画像の境界線を倍率調整された画像信号に重ね合わせ印刷することを特徴とする画像形成装置。
【００３１】
これによれば、境界線を加えるか、加えないかを指定することが出来る。画像とトリムの境界線を印刷したプリントと、境界線の無いプリントを選択できる。
【００３２】
（９）  上記（７）に記載の画像形成装置において、トリム領域による画像欠けが発生しないように倍率調整を行い印刷する場合に、上記（７）のトリム領域と印刷画像の境界線と前記倍率調整された画像信号の四辺枠線とを、倍率調整された画像信号に重ね合わせ印刷することを特徴とする画像形成装置。
【００３３】
トリム領域より内側に全面印刷されるように倍率変更された画像の枠を印刷することで使用者が画像信号領域を分かり易くする効果がある。
【００３４】
（１０）  上記（９）に記載の画像形成装置において、トリム領域による画像欠けが発生しないように倍率調整を行い印刷する場合に、各線入れ指定がある場合に、上記（７）のトリム領域と印刷画像の境界線と前記倍率調整された画像信号の四辺枠線とを、倍率調整された画像信号に重ね合わせ印刷することを特徴とする画像形成装置。
【００３５】
これによれば、境界線あるいは四辺枠線を加えるか、加えないかを指定することが出来る。境界線あるいは四辺枠線を印刷したプリントと、これらの線の無いプリントを選択できる。
【００３６】
本発明の他の目的および特徴は、図面を参照した以下の実施例の説明より明らかになろう。
【００３７】
【実施例】
−第１実施例−
図１に、本発明の第１実施例である複合機能フルカラーデジタル複写機の外観を示す。図１に示すフルカラー複写機は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００３８】
機内のシステムコントローラ６３０（図３）には、パソコンＰＣが接続したＬＡＮ（Ｌｏｃａｌ  Ａｒｅａ  Ｎｅｔｗｏｒｋ）が接続されており、共通バス（画像データバス／制御コマンドバス）に接続された図示を省略したファクシミリコントロールユニットＦＣＵには、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００３９】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００４０】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００４１】
また、レーザプリンタ１００は、上記トナ−像形成ユニットのほか、レーザ走査によるレーザ露光ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００４２】
レーザ露光ユニット１０２は、半導体レーザ４１Ｍ，４１Ｃ，４１Ｙ，４１Ｋ、ポリゴンミラー、ｆ−θレンズ、反射ミラー等を備え、画像信号に基づいて各感光体ドラム１１１Ｍ，１１１Ｃ，１１１Ｙおよび１１１Ｋの表面にレーザ光を、ｘ方向に振り走査しながら照射する。
【００４３】
半導体レーザ４１Ｙによる、イエロー画像作像系の画像露光に関して説明すると、半導体レーザ４１Ｙから出射したビームは、シリンダレンズで屈曲し、続いて、ポリゴンミラーにより反射される。続いて、反射したビームは、ｆ−θレンズを通ることで主走査方向のドットピッチが均等化され、そしてミラーにより反射されて感光体ドラム１１１Ｙ上を走査する。これにより印刷データの書き込みすなわち静電潜像の形成が行われる。
【００４４】
イエロー作像用のレーザ走査範囲の始点を検出する同期検知センサが、それにレーザが当ったときに、ライン同期信号（パルス）を発生する。これがイエロー作像用の主走査ラインの書き込み開始位置の基準となる。このライン同期信号が主走査のラインごとに発生するので、これを基点に主走査画像位置が定められる。主走査方向の画素密度は、半導体レーザ４１Ｙのビーム光の出射間隔とポリゴンミラーの回転速度で決まる。副走査方向の画素密度（ライン密度）は、感光体ドラム１１１Ｙの回転速度とポリゴンミラーの回転速度で決まる。感光体ドラム１１１Ｙの回転速度を変更すると、感光体潜像画像の転写，定着，用紙搬送などへの影響が発生するため、感光体ドラム１１１Ｙは一定速度で回転させ、ポリゴンミラーの回転速度の切り替えで副走査画素密度の変更を行う。
【００４５】
副走査倍率調整は副走査方向の画素密度変更と同じ処理で行う。副走査倍率調整を行えばポリゴンミラーの回転速度が変り、主走査方向の画素密度も変わってしまう。主走査倍率調整は、副走査倍率調整値を設定しポリゴンミラーの回転速度が決まった後に、半導体レーザ４１Ｙのビーム光の出射間隔を変更することで行われる。他の、ブラックＫ，シアンＣおよびマゼンタＭの作像における、プリンタ１００内での倍率調整も、上述のイエロー作像の場合と同様である。
【００４６】
図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００４７】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００４８】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００４９】
感光体ユニット１１０Ｙにおいて、交流電圧が印加された帯電ローラにより一様帯電された感光体ドラム１１１Ｙの表面に、レーザ露光ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００５０】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００５１】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００５２】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００５３】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００５４】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００５５】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００５６】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００５７】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００５８】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００５９】
図３に、図１に示す複写機の画像処理系統のシステム構成を示す。このシステムでは、カラー原稿スキャナ１０の、原稿を光学的に読み取る読み取りユニット１１は、原稿に対するランプの走査を行い、ＳＢＵ（センサボードユニット）のＣＣＤに原稿像を結像する。原稿像すなわち原稿に対する照射の反射光をＣＣＤで光電変換してＲ，Ｇ，Ｂ画像信号を生成し、ＳＢＵ上でＲＧＢ画像データに変換しかつシェーディング補正し、そして出力Ｉ／Ｆ（インターフェイス）１２で画像データバスを介して画像データ処理器ＩＰＰ（Ｉｍａｇｅ  Ｐｒｏｃｅｓｓｉｎｇ  Ｐｒｏｃｅｓｓｏｒ；以下では単にＩＰＰと記述）に送出する。
【００６０】
ＩＰＰは、分離生成（画像が文字領域か写真領域かの判定：像域分離），地肌除去，スキャナガンマ変換，フィルタ，色補正，変倍，画像加工，プリンタガンマ変換および階調処理を行う。ＩＰＰは画像処理をおこなうプログラマブルな演算処理手段である。スキャナ１０からＩＰＰに転送された画像データは、ＩＰＰにて光学系およびデジタル信号への量子化に伴う信号劣化（スキャナ系の信号劣化）を補正され、フレームメモリ６０１に書込まれる。
【００６１】
システムコントローラ６３０は、スキャナアプリケーション，ファクシミリアプリケーション，プリンタアプリケーションおよびコピーアプリケーション等の複数アプリケーションの機能を有し、システム全体の制御を行う。画像データバス／制御コマンドバスは、画像データと制御コマンドが時分割で転送されるバスである。
【００６２】
システムコントローラ６３０のＣＰＵ６０５は、システムコントローラ６３０の制御を行う。ＲＯＭ６０４にはシステムコントローラ６３０の制御プログラムが書かれている。ＲＡＭ６０３は、ＣＰＵ６０５が使用する作業用メモリである。ＮＶＲＡＭ６０２は、不揮発性メモリであり、副走査基本倍率調整値及び主走査基本倍率調整値など、システム全体の情報の保管を行う。
【００６３】
主走査及び副走査の基本倍率調整値は、システム調整工程でサンプル画像による倍率測定が行われ、操作ボード２０により設定が行われる。ここで、基本倍率調整値とは、等倍指定のときに、原稿スキャナ１０で読み取る画像と、読み取った画像データに基いてプリンタ１００で用紙上に形成する画像とを、同一サイズとする倍率調整値である。
【００６４】
カラー原稿スキャナ１０およびカラープリンタ１００が、画像読取制御および作像で使用する設定値は、予めシステム既定値としてＮＶＲＡＭ  ６０２に設定保存されている。これらの設定値は、システム電源投入時にＮＶＲＡＭ  ６０２に保存されているシステム既定値の中から制御バスを経由してプロセスコントローラ１３１の内部のＲＡＭに書込まれる。プロセスコントローラ１３１の内部のＣＰＵが、該ＲＡＭの設定値に基いて、原稿スキャナの動作およびプリンタ１００の作像プロセスを設定および制御する。
【００６５】
外部機器通信制御６０６は、画像読み取り，画像蓄積或いは画像印刷を要求する外部機器（たとえば同種の複写機，画像スキャナ，パソコン，サーバ，プリンタ，ファクシミリ）との通信制御を行うものであり、ネットワークに接続するための物理Ｉ／Ｆの制御を行う。ネットワーク接続された外部機器通信制御６０６がネットワークからデータを受信すると、電気的な信号より通信データの内容だけシステムＩ／Ｆ６０７に送る。システムＩ／Ｆ６０７では、規定されたプロトコルに従い受信データを論理変換しＣＰＵ６０５に送る。ＣＰＵ６０５では、論理変換された受信データを判断し処理を行う。また、ＣＰＵ６０５が、ネットワークにデータを送信する時は、受信とは逆の手順で、システムＩ／Ｆ６０７、外部機器通信制御６０６に送信データが伝達され、電気信号としてネットワーク上に送出される。
【００６６】
システムＩ／Ｆ（インターフェイス）６０７は、ＣＰＵ６０５の命令によりシステム内で処理される、原稿読み取りデータ，ファクシミリ受信データ，パソコン又はサーバのドキュメントデータ（印刷命令；描画情報）の転送制御、ならびに、パソコンＰＣのドキュメントデータ（印刷情報）の印刷用イメージデータ（画像データ）への変換と転送を行う。ワークメモリ６００は、プリンタで使用する画像展開（ドキュメントデータからイメージデータへの変換）の作業用メモリである。フレームメモリ６０１は、電源が供給され続けている状態で即座に印刷される読み取り画像や書き込み画像のイメージデータを、一時蓄える作業用メモリである。
【００６７】
ＨＤＤＣ６５０は、電源の供給が停止しても、読み取り画像や書き込み画像のイメージデータ、すなわち画像データ、ならびにドキュメントデータを蓄えられるハードディスクＨＤＤとそのコントローラである。イメージデータおよびドキュメントデータは、符号化されたりドットイメージであったりする。ＦＩＦＯバッファメモリ６０９は、入力画像をフレームメモリ６０１へ書込む時のデータ転送速度変換を行う。すなわち、転送元と転送先のデータ送出／受入れタイミングの差，転送単位のデータ量の相違，転送速度差等を吸収するデータの一時蓄積を行い、転送元の転送タイミングおよび速度でデータを受け入れ、転送先の転送タイミングおよび速度でデータを送り出す。同様にＦＩＦＯバッファメモリ６０８は、フレームメモリ６０１の画像データを出力画像としてデータ転送する時の速度変換を行う。
【００６８】
メモリコントローラ６１０は、フレームメモリ６０１及び、ＨＤＤＣ６５０とバス間の画像の入出力をコントロールする。また、操作ボード２０又はＰＣが受けたコマンドに応じて、フレームメモリ６０１を利用して、ＨＤＤＣに蓄積している画像の編集，加工を行う。メモリコントローラ６１０は、ＨＤＤＣ６５０のＨＤＤからワークメモリ６００又はフレームメモリ６０１への画像情報の読出しと、おもに画像データアドレス変更操作による、転写紙に対する画像の印刷方向の変更，画像の回転，画像の組み合わせ編集と、画像データに対する設定値の加減乗除による濃度変換，画像データ同士の論理積演算や論理和演算による画像トリミングおよび合成と、このように処理した画像情報のＨＤＤへの書込みとによって、各種の画像加工および編集を行うことができる。
【００６９】
メモリコントローラ６１０は更に、外部機器通信制御６０６が受信してＣＰＵ６０５の制御によってワークメモリ６００に書きこんだドキュメントデータ（描画情報）を、ＣＰＵ６０５のドキュメントデータのドットイメージデータへの展開制御にしたがって、カラープリンタ１００が用いるＣＭＹＫ画像データに変換してフレームメモリ６０１に展開する。このための展開処理プログラムがＨＤＤにインストールされている。
【００７０】
カラープリンタ１００のプロセスコントローラ１３１には、複写機制御プログラムが記録されているＲＯＭ，制御プログラムにより使用されるデータを記憶するＲＡＭ，電源ＯＦＦ後も調整値やジャムデータ等を記憶しておくためのＲＡＭ用のバックアップ電源（電池），ＲＯＭから制御プログラムを読み出し命令を実行処理するＣＰＵ，電源ＯＮ時に一定期間のリセット信号をＣＰＵに出力し制御プログラムの先頭からＣＰＵを動作させるためのリセット回路，複写機の各制御用タイミングを生成するための複数個のタイマ等が設けられている。
【００７１】
プロセスコントローラ１３１には、複写機の状態を判断するための各種センサ，ＳＷ、サーミスタ等からの各種入力を受けるとともに、複写機の駆動を行うための各種モータ、各種ＳＬ（ソレノイド）、各種ＣＬ（クラッチ）、ヒータ、ランプ等ヘの出力信号を生成する入，出力インターフェース（入，出力電気回路）がある。
【００７２】
プロセスコントローラ１３１（のＣＰＵ）は、操作ボード２０の入力あるいはＰＣからの入力に従ったシステムコントローラ６３０の作像コマンドに従って、作像制御すなわちプロセス制御をする。
【００７３】
図４に、カラープリンタ１００の作像ユニット１３５にある画像書込制御部１３５ｃの構成を示す。ブラックＫ，イエローＹ，シアンＣおよびマゼンタＭの各色画像信号宛ての印字画像制御部４３Ｋ，４３Ｙ，４３Ｃおよび４３Ｍは、プロセスコントローラ１３１のＣＰＵの命令により書込制御部１３５ｃ全体の制御をし、印刷画像信号Ｋｐ，Ｙｐ，ＣｐおよびＭｐをレーザ駆動回路４０Ｋ，４０Ｙ，４０Ｃおよび４０Ｍに転送する。
【００７４】
以下においては、記述を簡単にするために、色成分区分符号Ｋ，Ｙ，ＣおよびＭを省略して要素符号を示す。
【００７５】
ビーム同期検出装置３８は、主走査方向のレーザビーム走査基準位置を検出し印字画像制御部４３と位相同期回路３９に同期信号を送る。書込クロック生成回路３７は、主走査画素単位の周期のクロック信号であるＣＬＫ０信号を位相同期回路３９に送る。位相同期回路３９は、ビーム同期検出装置３８から送られる同期信号（ライン同期信号；ライン同期パルス）で、書込クロック生成回路３７から送られるＣＬＫ０を位相補正し主走査画素単位でレーザ点灯するための信号ＣＬＫ（画素同期信号；画素同期パルス）をレーザ駆動回路４０に転送する。
【００７６】
印字画像制御部４３は、画像データ枠（用紙面）にトリム領域を設定したり、画像枠（画像面）に任意の枠線を重ねあわせるなどの画像加工処理をプロセスコントローラ１３１の内部のＣＰＵが指定する内容により行う。すなわち印字画像制御部４３は、プロセスコントローラ１３１が与える用紙サイズ，トリム領域データおよび境界線書込有無に基いて、到来する画像信号の用紙上の印字位置を、主走査カウント（画素同期パルスのカウント）と副走査カウント（ライン同期パルスのカウント）で追跡し、トリム領域に割当てられる画像信号の出力を停止又は非記録信号への変換を行い、境界線書込有の場合は更に、トリム領域のエッジの内側の数画素の画像信号を、線書込信号に変換する（トリム境界線の書込）。
【００７７】
レーザ駆動回路４０は、印字画像制御部４３から送られる印刷画像信号Ｋｐ，Ｙｐ，Ｃｐ，Ｍｐを位相同期回路３９からくるＣＬＫ信号（画素同期パルス）の周期で半導体レーザ４１にレーザ駆動信号として送り、半導体レーザ４１はレーザ駆動回路４０から送られたレーザ駆動信号によってビームを照射する。ポリゴンモータ制御回路４２は、印字画像制御部４３の信号で、ポリゴンモータを所定の回転速度にＰＬＬ（Ｐｈａｓｅ  Ｌｏｃｋｅｄ  Ｌｏｏｐ）制御する。
【００７８】
各色作像の画像解像度は、主走査画素クロック設定（画素同期パルスの周期の設定）とポリゴン回転速度設定（ライン同期パルスの周期の設定）で行う。主走査画素クロック設定は、書込クロック生成回路３７で行われる。ポリゴン回転速度設定はポリゴンモータ制御回路４２によって行われる。主走査及び副走査それぞれの基本倍率調整と、トリムエッジに内接するように画像全面を配置する倍率変更は、主走査画素クロック設定とポリゴンモータ回転周期設定を微調整して行う。
【００７９】
図５に、操作ボード２０の回路ブロックを示す。操作ボード２０には、面表示機能がありしかも入力読み取り機能がある液晶タッチパネル（以下では液晶ディスプレイ又はディスプレイと言うこともある）７９，操作キー・マトリクス２７１，表示ＬＥＤ（発光ダイオード）２７２等がある。キー・マトリクス２７１には、省エネモード（休止モード又は低電力モード）からスタンバイモードに、またその逆への切換えを指示するための電源キーがある。省エネモードが設定されている時に電源キーが一回押されると、省エネモードからスタンバイモードに切換る。スタンバイモードであるときに電源キーが一回押されると、スタンバイモードから省エネモードに切換る。
【００８０】
図５に示す操作ボード２０の電気制御系の主体は、システムコントローラ６３０１のＣＰＵ６０５とコミュニケーションし、操作ボード２０の入力を読取り、ボード上の表示を制御するＣＰＵ２５３，このＣＰＵ２５３の制御プログラムが格納されているＲＯＭ２６５，制御時にデータの一時格納等を行うためのＲＡＭ２６６，ＬＣＤ２６０の描画データを格納するＶＲＡＭ２６８，このＶＲＡＭ２６８に接続されＬＣＤ２６０の描画タイミング制御等を行う液晶表示コントローラ（ＬＣＤＣ）２６７，時刻データを発生する時計ＩＣ  ２７３等がある。ＬＣＤＣ２６７には、ＣＦＬの光源をバックライト２７０として有するＬＣＤ２６０が接続される。ＣＰＵ２５３には更に、ＣＦＬバックライト２７０を駆動するインバータ２６９，キー・マトリクス２７１，表示ＬＥＤ２６１のＬＥＤマトリクス２７２およびそれらのＬＥＤを駆動するＬＥＤ駆動装置７３等が接続されている。
【００８１】
また、ＣＰＵ２５３が接続されたデータバスには、画像処理モード，状態情報および使用実績記憶用の不揮発性ＲＡＭ（ＮＶＲＡＭ）２６４が接続されている。
【００８２】
図６に示す様に、操作ボード２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能、の選択メニューが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００８３】
液晶タッチパネル７９には、各種機能キー及び画像形成装置の状態を示すメッセージなどが表示される。液晶ディスプレイ７９には、「コピー」機能，「スキャナ」機能，「プリント」機能，「ファクシミリ」機能，「蓄積」機能，「編集」機能，「登録」機能およびその他の機能の選択用および実行中を表わす機能選択キー８０ｇが表示される。機能選択キー８０ｇで指定された機能に定まった入出力画面が表示され、例えば「複写」機能が指定されているときには、図６に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネル７９は、ドット表示器を使用している為、その時の最適な表示をグラフィカルに行う事が可能である。
【００８４】
「複写」，「プリント」又は「フアクシミリ」機能が指定されているときには、図６に示すように、機能キー７９ａの中に、「画像全面の印刷」キー８１および「トリム境界線加入」キー８２が表示される。「画像全面の印刷」キー８１は、初期状態（デフォルト）は「画像全面の印刷」の指定ありを示す灰色表示であり、プロセスコントローラ１３１（の内部のＣＰＵ）がアクセスし得る、操作ボード２０のＲＡＭ２６６上の印刷条件レジスタ（１メモリ領域）には「画像全面の印刷」指示情報が格納されている。
【００８５】
「画像全面の印刷」は、元画像の全面（図１０の（ａ）の画像領域）を、トリムエッジ（図１０の（ｂ））に内接するように、主走査方向および副走査方向を個別の倍率で縮小してトリムエッジの内側に配置する（図１０の（ｅ））、自動変倍のトリム編集モードを意味する。指定ありを示す灰色表示の「画像全面の印刷」キー８１にユーザがタッチすると、すなわち「画像全面の印刷」をクリックすると、操作ボード２０のＣＰＵ２５３が入力情報をデコード（解読）して印刷条件レジスタの「画像全面の印刷」指示情報を消去し、液晶タッチパネル７９上の「画像全面の印刷」を指定なし状態を意味する白ブロック表示に変更する。
【００８６】
「画像全面の印刷」の指定なしは、ここでは、画像を縮小することなく、例えば図１０の（ｄ）に示すように、トリムエッジの外側すなわちトリム領域、の画像を消去して空白（余白）とする、倍率変更なしのトリム編集モード、を意味する。
【００８７】
「画像全面の印刷」の指定があるときに、「トリム境界線加入」キー８２がアクティブになり、その形状が現れる。すなわち、「画像全面の印刷」の指定があるときのみ、「トリム境界線加入」の指定が可能となる。「トリム境界線加入」キー８２がクリックされると、操作ボード２０のＣＰＵ２５３は、印刷条件レジスタにトリム境界線加入を指定する情報を書込み、「トリム境界線加入」キー８２を灰色表示に切換える。灰色表示の「トリム境界線加入」キー８２がクリックされるとＣＰＵ２５３は、印刷条件レジスタのトリム境界線加入指定情報を消去し、「トリム境界線加入」キー８２を白ブロック表示に切換える。「画像全面の印刷」の指定が無いときには、「トリム境界線加入」キー８２は背景色と同一で影又は透かしのように表示されているだけであり、仮にそこにクリックがあっても、ＣＰＵ２５３は応答しない。
【００８８】
図７に、ＣＰＵ６０５からの、コピー，プリントアウト又はファクシミリ出力の指示である印刷指示に応答してプロセスコントローラ１３１（の中のＣＰＵ）が実行するトリム制御の概要を示す。印刷指示があるとコントローラ１３１は、それが操作ボード２０からのユーザ指示である場合には操作ボード２０の上記印刷条件レジスタのデータをコントローラ１３１の内部のＲＡＭに読込み、ＰＣ等の外部機器からの指示である場合には、システムコントローラ６３０を介して印刷条件を、上記ＲＡＭに読込むとともに、印刷条件レジスタの印刷パラメータに設定されている内容で、書込Ｉ／Ｆ１３４および作像ユニット１３５の印刷準備設定を行う（ステップＳ１）。また、基本倍率調整値および得た印刷条件の中の印刷用紙サイズ宛てのトリム量（用紙４辺の各辺に対する、トリムエッジ４辺の各辺の距離）をＮＶＲＡＭ６０２から読み出して上記ＲＡＭに読込むとともに、画像書込制御部１３５ｃの印字画像制御部４３に設定する（ステップｓ２）。
【００８９】
なお、以下においては、括弧内には、ステップという語を省略して、ステップＮｏ．記号のみを表記する。
【００９０】
次に、印刷条件レジスタに「画像全面の印刷」指示情報がある場合には、コントローラ１３１は、印刷パラメータに設定されている、画像サイズおよび用紙サイズと取得したトリム量から全面印刷する画像の倍率を計算する（ｓ３，Ｓ４）。この実施例では、画像サイズ（画像面）の主走査方向の幅に主走査方向の基本倍率調整値を乗じた積を、「用紙の主走査方向の幅から主走査方向のトリム値（左，右）の和を差引いた値（用紙上の有効領域の横幅）」に縮小する主走査方向の倍率を算出し、また、画像サイズの副走査方向の幅に副走査方向の基本倍率調整値を乗じた積を、「用紙の副走査方向の幅から副走査方向のトリム値（前，後）の和を差引いた値（用紙上の有効領域の縦幅）」に縮小する副走査方向の倍率を算出する。
【００９１】
次にコントローラ１３１は、画像書込制御部１３５ｃに、算出した主走査方向の倍率および副走査方向の倍率を設定する（ｓ５）。この倍率の自動調整（変更）により、トリム領域の倍率にも影響がでる。変更した倍率で、印刷用紙を基準としたトリム値によって規定されるトリム領域のトリミングとなるように、印字画像制御部４３にトリム領域を再設定する（ｓ６）。
【００９２】
次に、印刷条件レジスタに「トリム境界線加入」指示情報がある場合には、コントローラ１３１は、境界線書込有データを印字画像制御部４３に与える（ｓ７，Ｓ８）。そして印刷プロセス制御すなわち作像制御を行う（Ｓ９）。
【００９３】
この印刷プロセスにおいて印字画像制御部４３が、プロセスコントローラ１３１が与えた用紙サイズ，トリム領域データおよび境界線書込有無に基いて、到来する画像信号の用紙上の印字位置を、主走査カウントと副走査カウントで追跡し、トリム領域に割当てられる画像信号の出力を停止又は非記録信号への変換を行い（トリミング）、境界線書込有の場合は更に、トリム領域のエッジの内側の数画素の画像信号を、線書込信号に変換する（境界線の書込）。この場合には、例えば図１０の（ｇ）に示すような、トリム領域の内側の領域の全面に元画像の全体が分布し、トリム境界線が加わったプリントが得られる。
【００９４】
なお、境界線書込無しの場合は、この境界線の書込（ｓ８）は行わない（ｓ７，Ｓ９）。この場合には、例えば図１０の（ｅ）に示すプリントが得られる。
【００９５】
また、印刷条件レジスタに「画像全面の印刷」指示情報が無かった場合には、ステップｓ４〜ｓ８の自動倍率調整は行わないので、元画像の画像領域（画像面）いっぱいに画像が分布する場合には、例えば図１０の（ｄ）に示すように、トリム領域で画像が欠落するが、ユーザのプリントアウト指示倍率が１（等倍）であったときには、元画像と同一サイズの画像のプリントが得られる。
【００９６】
−第２実施例−
上述の第１実施例では、主走査方向と副走査方向の各方向でトリム領域の内側の領域の全域に元画像の全域がいっぱいに分布するように、主走査方向と副走査方向で独立に倍率を設定するので、例えば図１０の（ｅ）又は（ｇ）に示すような、用紙上の画像形成有効領域に元の画像面の全体が分布する、画像分布が整然としたプリントが得られるが、たいていの場合主走査方向と副走査方向の倍率が異なるので、元画像に対するプリント上の画像の相似性が崩れる。高い相似性が要求される場合も多い。
【００９７】
そこで第２実施例では、主走査方向と副走査方向の倍率を同一とする自動変倍の態様も選択できるようにした。その態様のプリントアウトは、たとえば図１０の（ｆ）又は図１０の（ｈ）に示すように、一方の方向に空白を生じ元画像の画像面の端がどこか把握しにくい。そこで第２実施例では、元画像の画像面の端を表す画像枠線（図１０の（ｉ））の加入を選択できるようにした。
【００９８】
第２実施例は、そのハードウエアは上述の第１実施例のものと大略同じであるが、画像書込制御部１３５ｃの印字画像制御部４３に、画像枠線書込機能を加え、操作ボード２０の表示パネル７９の入出力機能を拡張し、これに伴ってプロセスコントローラ１３１のトリム制御機能を少し変更したものである。
【００９９】
すなわち、第２実施例の印字画像制御部４３は、プロセスコントローラ１３１が与える用紙サイズ，トリム領域データ，境界線書込有無および画像枠線書込有無ならび画像枠線書込有の場合は更に画像領域の主走査方向および副走査方向の各終端、に基いて、到来する画像信号の用紙上の印字位置を、主走査カウント（画素同期パルスのカウント）と副走査カウント（ライン同期パルスのカウント）で追跡し、トリム領域に割当てられる画像信号の出力を停止又は非記録信号への変換を行う。境界線書込有の場合は更に、トリム領域のエッジの内側の数画素の画像信号を、線書込信号に変換する。画像枠線書込有の場合は更に、主走査方向および副走査方向の画像領域の始端，終端とその内側の数画素の画像信号を、線書込信号に変換する。
【０１００】
図８に、第２実施例の操作ボード２０の「コピー」入力画面を示す。第２実施例で「複写」，「プリント」又は「フアクシミリ」機能が指定されているときには、図８に示すように、機能キー７９ａの中に、「画像全面の印刷」キー８１および「トリム境界線加入」キー８２に加えて、「縦横独立変倍」キー８３および「画像枠線加入」キー８４が表示される。「画像全面の印刷」キー８１および「トリム境界線加入」キー８２は第１実施例のものと同じものである。
【０１０１】
「縦横独立変倍」キー８３は、それが白ブロックの非指定状態では主走査方向および副走査方向ともに同一の変倍を指定しており、印刷条件レジスタに「同一変倍」指示情報があるが、「縦横独立変倍」指示情報は消去されている。その状態で、「縦横独立変倍」キー８３にクリックがあると、操作ボード２０が、それを灰色表示に切換えるとともに、印刷条件レジスタの「同一変倍」指示情報を消去し、代りに「縦横独立変倍」指示情報を書込む。
【０１０２】
「画像枠線加入」キー８４は、「同一変倍」が指定されているときにアクティブになるキーであり、その形状が現れる。すなわち、「縦横独立変倍」キー８３が白ブロック表示のときのみ、「画像枠線加入」の指定が可能となる。「画像枠線加入」キー８４がクリックされると、操作ボード２０のＣＰＵ２５３は、印刷条件レジスタに画像枠線加入を指定する情報を書込み、「画像枠線加入」キー８４を灰色表示に切換える。灰色表示の「画像枠線加入」キー８４がクリックされるとＣＰＵ２５３は、印刷条件レジスタの画像枠線加入指定情報を消去し、「画像枠線加入」キー８４を白ブロック表示に切換える。「縦横独立変倍」が指定されているときには、「画像枠線加入」キー８４は背景色と同一で影又は透かしのように表示されているだけであり、仮にそこにクリックがあっても、ＣＰＵ２５３は応答しない。
【０１０３】
図９に、第２実施例において、システムコントローラ６３０のＣＰＵ６０５からの、コピー，プリントアウト又はファクシミリ出力の指示である印刷指示に応答してプロセスコントローラ１３１（の中のＣＰＵ）が実行するトリム制御の概要を示す。
【０１０４】
第１実施例と同様に、コントローラ３１は、ステップｓ１〜ｓ４を実行して、印刷パラメータに設定されている、画像サイズおよび用紙サイズと取得したトリム量から全面印刷する画像の、主走査方向の倍率および副走査方向の倍率を計算する。
【０１０５】
次にコントローラ１３１は、縦横独立変倍指定情報があるか、あるいは同一変倍指定情報があるから応じて、縦横独立変倍指定情報がある場合には、第１実施例と同様にステップｓ５〜Ｓ９を実行する。これにより、例えば図１０の（ｅ）又は（ｇ）に示すプリントが得られる。しかし同一変倍指定情報が合った場合には、コントローラ１３１は、主走査方向の倍率および副走査方向の倍率の内、小さい方の倍率を主走査方向の倍率および副走査方向の倍率として印字画像制御部に設定する（ｓ１２）。この倍率の変更により、トリム領域の倍率にも影響がでる。変更した倍率で、印刷用紙を基準としたトリム値によって規定されるトリム領域のトリミングとなるように、印字画像制御部４３にトリム領域を再設定する（ｓ１３）。
【０１０６】
次に、印刷条件レジスタに「画像枠線加入」指示情報がある場合には、コントローラ１３１は、画像枠線書込有データならびに画像領域の主走査方向終端データおよび副走査方向終端データを印字画像制御部４３に与える（ｓ１４，Ｓ１５）。
【０１０７】
この印刷プロセスにおいて印字画像制御部４３が、プロセスコントローラ１３１が与えた用紙サイズ，トリム領域データ，画像枠線書込有データ，画像領域の主走査方向終端データおよび副走査方向終端データに基いて、到来する画像信号の用紙上の印字位置を、主走査カウントと副走査カウントで追跡し、トリム領域に割当てられる画像信号の出力を停止又は非記録信号への変換を行い（トリミング）、画像枠線書込有の場合は更に、画像領域の主走査方向および副走査方向の各始端，終端ならびにそれらの内側の数画素の画像信号を、線書込信号に変換する（画像枠線の書込）。この場合には、例えば図１０の（ｉ）に示すような、トリム領域の内側の領域の全面に元画像の全体が分布し、画像領域の主，副走査方向の始端，終端すなわち画像領域４辺に画像枠線が加わったプリントが得られる。なお、トリム境界線は、その書込の指定があった場合に印刷されるものであり、トリム境界線加入指示情報が無かったときには、トリム境界線は印刷されない。
【０１０８】
第２実施例のその他の構成及び機能は、第１実施例と同様である。
【０１０９】
【発明の効果】
プリント上に、例えば図１０の（ｇ），（ｈ）又は（ｉ）に示すように、元画像領域とトリムエッジとの区分線（トリム境界線／画像枠線）が現れるので、プリント上において元画像領域を明確に認識できる。
【図面の簡単な説明】
【図１】本発明の第１実施例のカラー複写機の外観を示す正面図である。
【図２】図１に示すプリンタ１００の作像機構の概要を示す拡大縦断面図である。
【図３】図１に示すカラー複写機の画像処理システムの概要を示すブロック図である。
【図４】図３に示す作像ユニット１３５にある画像書込制御部１３５ｃの機能構成を示すブロック図である。
【図５】図１に示す操作ボード２０の電気要素を示すブロック図である。
【図６】図１に示す操作ボード２０の一部分の拡大平面図である。
【図７】図３に示すプロセスコントローラ１３１のトリム制御の概要を示すフローチャートである。
【図８】本発明の第２実施例の複写機の操作ボード２０の一部分の拡大平面図である。
【図９】本発明の第２実施例の複写機のプロセスコントローラ１３１のトリム制御の概要を示すフローチャートである。
【図１０】（ａ）はプリントアウトする元画像の画像領域を示す平面図、（ｂ）は印刷用紙上に設定するトリム領域のエッジを示す平面図、（ｃ）はエッジトリミング無しで画像を印刷した場合のプリント出力紙の平面図、（ｄ）はエッジトリミングをした場合のプリントアウト紙の平面図、（ｅ）は主，走査方向の各倍率を調整して元の画像領域をトリムエッジの内側いっぱいに縮小配置したプリントアウト紙の平面図、（ｆ）は主，走査方向の倍率を同一に調整して元の画像領域の主，副走査方向の一方のみをトリムエッジの内側いっぱいに縮小配置したプリントアウト紙の平面図、（ｇ）は主，走査方向の各倍率を調整して元の画像領域をトリムエッジの内側いっぱいに縮小配置しかつトリム境界線を加入したプリントアウト紙の平面図、（ｈ）は主，走査方向の倍率を同一に調整して元の画像領域の主，副走査方向の一方のみをトリムエッジの内側いっぱいに縮小配置しかつトリム境界線を加入したプリントアウト紙の平面図、及び、（ｉ）は主，走査方向の倍率を同一に調整して元の画像領域の主，副走査方向の一方のみをトリムエッジの内側いっぱいに縮小配置しかつトリム境界線および画像枠線を加入したプリントアウト紙の平面図、である。
【符号の説明】
１０：カラー原稿スキャナ  ２０：操作ボード
３０：自動原稿供給装置    ３４：フィニッシャ
３４ｈｓ：積載降下トレイ  ３４ｕｄ：昇降台
３４ｓｔ：ソートトレイ群
４１Ｍ，４１Ｃ，４１Ｙ，４１Ｋ：半導体レーザ
１００：カラープリンタ    ＰＣ：パソコン
ＰＢＸ：交換器            ＰＮ：通信回線
１０２：光書込みユニット  １０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト
ＣＤＩＣ：画像データインターフェース制御
ＩＭＡＣ：画像メモリアクセス制御
ＩＰＰ：画像データ処理器  ＨＤＤＣ：ハードディスク装置
【図１】
2004216695.tif 000003
【図２】
2004216695.tif 000004
【図３】
2004216695.tif 000005
【図４】
2004216695.tif 000006
【図５】
2004216695.tif 000007
【図６】
2004216695.tif 000008
【図７】
2004216695.tif 000009
【図８】
2004216695.tif 000010
【図９】
2004216695.tif 000011
【図１０】
2004216695.tif 000012